(57)【要約】      （修正有）【課題】発光ダイオードがそれぞれ異なる色光を生じるように制御できる集魚灯を提供する。【解決手段】第１結合部１２２及び第２結合部１２４を有する筐体１２０と、２つの光源モジュールと、発光ダイオードに電気的に接続される制御装置と、を備え、各光源モジュールは、それぞれ、対向する光源設置面及び放熱面を有するシート体１４１と、光源設置面に設けられる複数の発光ダイオードと、シート体１４１に設けられ、光源モジュールを筐体に結合させる固定ユニット１４５と、とする。【選択図】図１
2015149988.tif 000002
【特許請求の範囲】
【請求項１】
第１結合部及び第２結合部を有する筐体と、
それぞれ前記第１結合部及び前記第２結合部に枢設される２つの光源モジュールと、
複数の発光ダイオードに電気的に接続される制御装置と、
を備え、
各前記光源モジュールは、対向する光源設置面及び放熱面を有するシート体、前記光源設置面に設置される前記複数の発光ダイオード、及び前記シート体に設置され、前記光源モジュールを前記筐体に結合させる固定ユニットを含む集魚灯。
【請求項２】
各前記発光ダイオードは、ガリウムヒ素チップ及び窒化ガリウムチップを含む請求項１に記載の集魚灯。
【請求項３】
前記制御装置は、電源と、前記電源に電気的に接続され、且つ前記ガリウムヒ素チップ及び前記窒化ガリウムチップに電気的に接続される制御回路と、を備える請求項２に記載の集魚灯。
【請求項４】
ロッドと、
前記ロッドに配列する複数の光源モジュールと、
複数の発光ダイオードに電気的に接続される制御装置と、
を備え、
各前記光源モジュールは、対向する光源設置面及び放熱面を有するシート体、前記光源設置面に設置される前記複数の発光ダイオード、及び前記シート体に設置され、前記光源モジュールを前記ロッドに結合させる固定ユニット、を含む集魚灯。
【請求項５】
各前記発光ダイオードは、ガリウムヒ素チップ及び窒化ガリウムチップを含む請求項４に記載の集魚灯。
【請求項６】
前記制御装置は、電源と、前記電源に電気的に接続され、且つ前記ガリウムヒ素チップ及び前記窒化ガリウムチップに電気的に接続される制御回路と、を備える請求項５に記載の集魚灯。
【発明の詳細な説明】
【技術分野】
【０００１】
本発明は灯具に関し、特に集魚灯に関する。
【背景技術】
【０００２】
漁業従事者が魚群の走光性を利用して魚群を近くまで引き付けて、漁業を操業し、漁獲量を増加するという方法はよく見られる。一般的に、漁業を操業するために、漁業従事者は漁船に集魚灯を設け、且つ夜間に集魚灯を点灯して魚が漁船に集まるように誘導する。
【発明の概要】
【発明が解決しようとする課題】
【０００３】
魚類は、種類によって波長に対する走光性が異なるため、漁業従事者は、異なる種類の魚類を捕獲する場合、異なる波長の光源を切り替えなければならない。現在、ある集魚灯は、１種類の特定の波長だけを出射することから、集魚灯を切り替えて異なる種類の魚類を捕獲するためには、漁業従事者は、多種の波長の複数の集魚灯を同時に持ち運ばなければならないため、携帯しにくく、且つ集魚灯が漁船の空間を占有するという問題が発生する。
【０００４】
また、異なる波長の発光ダイオードを同時に１つの集魚灯に設置する方法もある。この方法によれば、漁業従事者は、同時に複数の集魚灯を携帯する必要がなく、且つ必要に応じて特定の波長の発光ダイオードを点灯させることができる。しかしながら、特定の波長の発光ダイオードが点灯する時に、他の波長の発光ダイオードが使用されないため、集魚灯における実際の照明範囲を縮小させることから、集魚灯の使用は不便であり、魚を集める効率が悪いという問題が発生する。
【課題を解決するための手段】
【０００５】
従って、本発明の一目的は、複数の色光のチップを同一の発光ダイオードに統合し、且つ制御装置によって発光ダイオードがそれぞれ異なる色光を生じるように制御する集魚灯を提供することにある。これによって、集魚灯に設置される必要がある発光ダイオードの個数及び面積を減少させ、コストを節約し、集魚灯のサイズを縮小する目的が達成される。
【０００６】
本発明の他の目的は、異なる固定部材を切り替え可能な光源モジュールによって、筐体又はロッドの構造設計に合わせるように、光源モジュールを筐体又はロッドに結合させる集魚灯を提供することにある。また、光源モジュールは、筐体に装着される場合、固定部材によって光源モジュールの照射角度を調整することができる。そして、光源モジュールは、ロッドに装着される場合、固定部材の締めネジを回転することによって光源モジュールをロッドに締め付けることができる。従って、モジュール化された光源モジュールは、組み立てが簡単であるだけでなく、修理又は改造・選択・交換にも便利となる。
【０００７】
本発明の上記目的によれば、集魚灯を提供する。この集魚灯は、第１結合部及び第２結合部を有する筐体と、それぞれ第１結合部及び第２結合部に枢設される２つの光源モジュールと、発光ダイオードに電気的に接続される制御装置と、を備える。各光源モジュールが、対向する光源設置面及び放熱面を有するシート体と、光源設置面に設けられる複数の発光ダイオードと、シート体に設けられ、光源モジュールを筐体に結合させる固定ユニットと、を含む。
【０００８】
本発明の上記目的によれば、別の集魚灯を提供する。この集魚灯は、ロッドと、ロッドに配列される複数の光源モジュールと、発光ダイオードに電気的に接続される制御装置と、を備える。そして、各光源モジュールが、対向する光源設置面及び放熱面を有するシート体と、光源設置面に設けられる複数の発光ダイオードと、シート体に設けられ、光源モジュールをロッドに結合させる固定ユニットと、を備える。
【０００９】
本発明のさらに１つの実施例によれば、上記の各発光ダイオードは、ガリウムヒ素チップ及び窒化ガリウムチップを含む。
【００１０】
本発明のさらに他の実施例によれば、上記の制御装置は、電源と、電源に電気的に接続され、且つガリウムヒ素チップ及び窒化ガリウムチップに電気的に接続される制御回路と、を備える。
【図面の簡単な説明】
【００１１】
本発明の上記または他の目的、特徴、メリット、実施例をより分かりやすくするため、以下図面を参照して説明を行う。
【図１】本発明の第１実施形態に係る集魚灯を示す斜視模式図である。
【図２】本発明の第１実施形態に係る集魚灯を示す組立模式図である。
【図３】図３は、本発明の第１実施形態に係る集魚灯の光源モジュールの角度を調整する際の模式図である。
【図４Ａ】本発明の異なる実施形態に係る発光ダイオードを示す構造模式図である。
【図４Ｂ】本発明の異なる実施形態に係る発光ダイオードを示す構造模式図である。
【図４Ｃ】本発明の異なる実施形態に係る発光ダイオードを示す構造模式図である。
【図５】本発明の一実施形態に係る別の固定部材を示す構造模式図である。
【図６】本発明の一実施形態に係る別の光源モジュールが筐体に結合される様子を示す局部模式図である。
【図７】本発明の第２実施形態に係る集魚灯を示す斜視模式図である。
【図８】本発明の第２実施形態に係る集魚灯を示す側視図である。
【発明を実施するための形態】
【００１２】
図１及び図２を参照すると、図１及び図２は、それぞれ本発明の第１実施形態に係る集魚灯を示す斜視模式図及び組立模式図である。本実施形態の集魚灯１００は、筐体１２０と、筐体１２０と光源モジュール１４０の間の角度を調整できるように筐体１２０に枢設される２つの光源モジュール１４０と、光源モジュール１４０の発光を制御し、光源モジュール１４０に必要な電源を提供するように、筐体１２０の中に設置される制御装置１６０と、を備える。
【００１３】
引き続き図１及び図２を参照すると、筐体１２０は、側面から見てほぼＣ字形を呈し、且つ第１結合部１２２及び第２結合部１２４を有する。図２に示すように、本実施例において、第１結合部１２２と第２結合部１２４は、筐体１２０から伸びる二対のラグである。つまり、第１結合部１２２は、その中の一対のラグであり、この一対のラグがそれぞれ筐体１２０の対向する両側辺に位置する。第２結合部１２４は、別の一対のラグであり、この一対のラグがそれぞれ筐体１２０上の第１結合部１２２と同じの両側辺に位置する。
【００１４】
また、図２に示すように、筐体１２０には組立部１２６及び調整部１２８を有する。組立部１２６は、丸穴であってよく、筐体１２０を船に枢設するときに用いられることができる。調整部１２８は、複数の歯状構造を有する長い溝であってよい。また、船に固定ロッド（図示せず）が別に設置され、この固定ロッドは、調整部１２８のいずれかの２つの隣接する歯状構造の間の凹溝に係止されることに用いられることができる。これによって、組立部１２６を軸心として筐体１２０を回転させて、筐体１２０の傾斜角度を調整することができる。そして、筐体１２０の傾斜角度を調整した後、固定ロッドを調整部１２８に固定して、筐体１２０を特定の傾斜角度に維持させることができる。
【００１５】
図３を併せて参照すると、図３は、本発明の第１実施形態に係る集魚灯の光源モジュールの角度を調整する際の模式図である。光源モジュール１４０は、それぞれ筐体１２０の第１結合部１２２及び第２結合部１２４に枢設されてよく、且つ個別に筐体１２０に対して回転できる。各光源モジュール１４０は、図２に示すように、光源設置面１４１ａ及び放熱面１４１ｂを有するシート体１４１と、光源設置面１４１ａに設置される複数の発光ダイオード１４３と、固定ユニット１４５と、を備える。光源設置面１４１ａと放熱面１４１ｂがそれぞれシート体１４１の対向する両側に位置する。
【００１６】
図２に示すように、一実施例において、光源設置面１４１ａは、金属表面１４１ｃと、金属表面１４１ｃに隣設される塗層１４１ｄと、を備えてよい。例えば、塗層１４１ｄが金属表面１４１ｃを取り囲む。典型的な例において、光源設置面１４１ａそのものが金属表面１４１ｃであってよく、金属表面１４１ｃにおける特定位置に塗層１４１ｄが直接に吹き付け塗装されてなるものである。そして、発光ダイオード１４３は、金属表面１４１ｃに設置される。１つの例において、塗層１４１ｄは、セラミックコーティングであってよいが、これに制限されない。これによって、発光ダイオード１４３が発生した熱は、直接に金属表面１４１ｃに伝達されることができ、更に塗層１４１ｄから外部に散逸する。そして、塗層１４１ｄは、放熱機能を有するだけでなく、同時に耐塩性及び耐酸性の機能を有し、シート体１４１の使用寿命を更に延長させることができる。また、一実施例において、各光源モジュール１４０は、シート体１４１の放熱面１４１ｂに設けられる複数の放熱フィン１４７を含む。これによって、発光ダイオード１４３が発生した熱は、金属表面１４１ｃから直接放熱面１４１ｂに伝達されてもよく、更に放熱フィン１４７から外部に散逸する。
【００１７】
再び図２及び図３を参照すると、固定ユニット１４５は、シート体１４１に設置される。固定ユニット１４５は、主に光源モジュール１４０を筐体１２０に結合させることに用いられる。一実施例において、各固定ユニット１４５は、２つの固定部材１４５ａ、２つの枢支部材１４５ｂ及び２つの位置決め部材１４５ｃを備える。図３に示すように、ある典型な例において、固定部材１４５ａがほぼ半円形を呈し、それぞれ第１結合部１２２と第２結合部１２４に固定されることができる。そして、固定部材１４５ａがそれぞれシート体１４１に設置されシート体１４１の対向する両側辺に隣接する。
【００１８】
引き続き図２及び図３を参照すると、各固定部材１４５ａは、１つの枢支孔１４５ｄ及び複数の位置決め孔１４５ｅを有する。枢支部材１４５ｂは、それぞれ固定部材１４５ａに対応し、筐体１２０に穿設される。そして、各枢支部材１４５ｂは、対応する固定部材１４５ａの枢支孔１４５ｄに固定される。これによって、シート体１４１は、対応する固定部材１４５ａによって、それぞれ筐体１２０の第１結合部１２２と第２結合部１２４に枢設される。また、位置決め部材１４５ｃは、それぞれ固定部材１４５ａに対応し、筐体１２０に穿設される。そして、各位置決め部材１４５ｃは、対応する固定部材１４５ａのうちの１つの位置決め孔１４５ｅに固定されてもよい。これによって、位置決め部材１４５ｃがまだ筐体１２０に穿設されない前に、先にシート体１４１を回転することができ、固定部材１４５ａのうちの１つの位置決め孔１４５ｅを筐体１２０上の貫通孔に位置合わせる。これによって、位置決め部材１４５ｃは、シート体１４１と筐体１２０間の角度を調整する。次に、さらに位置決め部材１４５ｃを筐体１２０の貫通孔を通させた後、位置決め孔１４５ｅに固定して、シート体１４１を位置決めする目的が達成される。
【００１９】
図１〜図３を参照すると、一実施形態において、光源モジュール１４０は、固定ユニット１４５に設置される保護カバー１４８をさらに備える。１つの例において、保護カバー１４８は、プラスチックシート又は薄い金属シートであってよい。これによって、保護カバー１４８を円弧状に折り曲げることができ、且つその対向する両側をそれぞれ固定部材１４５ａに固定する。保護カバー１４８は、主に放熱フィン１４７の外に覆われ、異物が放熱フィン１４７に落ちないようにする。他の一実施例において、光源モジュール１４０は、レンズカバー１４９を備えてよい。レンズカバー１４９は、光源設置面１４１ａに設置され、且つ発光ダイオード１４３を覆う。レンズカバー１４９は、複数のレンズユニット１４９ａを有する。これらのレンズユニット１４９ａの個数及び位置は、発光ダイオード１４３の個数及び位置に対応する。レンズユニット１４９ａは、発光ダイオード１４３が発生した光線を集めることができ、海中に入射する光線量を高める。
【００２０】
引き続き図１〜図３を参照すると、制御装置１６０は、発光ダイオード１４３に電気的に接続される。制御装置１６０は、電源１６０ａ及び制御回路を備える。電源１６０ａがシート体１４１に設置されてもよく、且つ制御回路が電源１６０ａに電気的に接続されて発光ダイオード１４３とともに回路板に統合されてもよい。従って、電源１６０ａが発光ダイオード１４３に必要な電力を提供でき、制御回路が発光ダイオード１４３の発光状態を制御できる。
【００２１】
図４Ａを併せて参照すると、図４Ａは、本発明の一実施形態に係る発光ダイオードを示す構造模式図である。一実施例において、各発光ダイオード１４３は、ガリウムヒ素チップ及び窒化ガリウムチップを含んでもよい。そして、ガリウムヒ素チップ及び窒化ガリウムチップを利用することでそれぞれ異なる色光のチップを製作することができる。例えば、ガリウムヒ素チップは、赤色光チップを製作することに用いられ、窒化ガリウムチップは、青色光チップ、緑色光チップ又は白色光チップを製作することに用いられる。白色光チップは、窒化ガリウムチップを覆う蛍光体層を有する。図４Ａに示す実施例において、発光ダイオード１４３は、同時に白色光チップ１４３ａ、赤色光チップ１４３ｂ及び青色光チップ１４３ｃを含む。図４Ａに示すように、本実施形態の発光ダイオード１４３は、白色光チップ１４３ａ、赤色光チップ１４３ｂ及び青色光チップ１４３ｃを直接に一緒にパッケージする。そして、この発光ダイオード１４３は、主に白色光チップ１４３ａ、赤色光チップ１４３ｂ及び青色光チップ１４３ｃをそれぞれ制御回路に接続する三対のピンを有する。従って、制御回路は、必要に応じて発光ダイオード１４３が白色光、青色光又は赤色光を出射するように制御する。注意すべきなのは、本実施形態の各発光ダイオード１４３に含まれた３種のチップは、単なる模式的な説明であり、本発明を制限するものではない。他の実施形態において、発光ダイオード１４３は、従来の単色光チップを有する発光ダイオードであってもよい。
【００２２】
本発明において、発光ダイオード１４３には上記実施例と異なる設計を有してよい。図４Ｂ〜図４Ｃを併せて参照すると、図４Ｂ〜図４Ｃは、それぞれ本発明の異なる実施形態に係る発光ダイオードを示す構造模式図である。図４Ｂの実施例において、発光ダイオード１４４は、３種の色光のチップ１４４ｂ、１４４ｃ及び１４４ｄをセラミック基板１４４ａにパッケージしてなるものである。例えば、３種の色光のチップ１４４ｂ、１４４ｃ及び１４４ｄは、それぞれ白色光チップ、青色光チップ又は赤色光チップである。図４Ｃの実施例において、発光ダイオード１４６は、４種の色光のチップ１４６ｂ、１４６ｃ、１４６ｄ及び１４６ｅをセラミック基板１４６ａにパッケージしてなるものである。例えば、４種の色光のチップ１４６ｂ、１４６ｃ、１４６ｄ及び１４６ｅは、それぞれ白色光チップ、青色光チップ、赤色光チップ又は緑色光チップである。注意すべきなのは、図４Ａ〜図４Ｃに示す発光ダイオード１４３、１４４及び１４６は、単なる模式的な説明であり、本発明を制限するものではない。
【００２３】
本発明において、光源モジュール１４０には上記実施例と異なる設計を有してよい。図５及び図６を併せて参照すると、図５及び図６は、それぞれ本発明の一実施形態に係る別の固定部材を示す構造模式図及び別の光源モジュールが筐体に結合される様子を示す局部模式図である。本実施例において、光源モジュール２２０の構造は、上記実施例の光源モジュール１４０とほぼ同じであるが、光源モジュール２２０における固定部材２００に異なる構造設計を有する点で異なる。図５に示すように、固定部材２００は、第１部材２０１、第２部材２０３及び少なくとも１つの締めネジ２０５を備える。そして、締めネジ２０５は、同時に第１部材２０１及び第２部材２０３の中にねじ込むことで、第１部材２０１と第２部材２０３の間の距離を調整できる。また、第１部材２０１に位置決め孔２０１ａを有し、第２部材２０３に枢支孔２０３ａを有する。これによって、枢支部材１４５ｂが筐体１２０の中に穿設され枢支孔２０３ａの中に固定されることができ、位置決め部材１４５ｃが筐体１２０の中に穿設され位置決め孔２０１ａの中に固定されることができる。従って、光源モジュール２２０は、同様に筐体１２０に対して回転でき、光源モジュール２２０の角度を調整する目的が達成される。
【００２４】
また、本発明において、集魚灯１００は、上記実施例と異なる設計を有してよい。図５、図７及び図８を併せて参照すると、図７及び図８は、それぞれ本発明の第２実施形態に係る集魚灯を示す斜視模式図及び側視図である。本実施例において、集魚灯３００は、ロッド３２０、複数の光源モジュール３４０及び制御装置３６０を備える。この光源モジュール３４０の構造が上記実施例の光源モジュール２２０と同じ、本実施例の光源モジュール３４０がロッド３２０に配列して設置される。
【００２５】
まず図５を参照すると、固定部材２００の第１部材２０１及び第２部材２０３は、それぞれ切り欠き２０１ｂ及び２０３ｂを有し、切り欠き２０１ｂと切り欠き２０３ｂが対向して設置されて１つのスリーブ接続孔２０７を形成する。これによって、固定部材２００は、スリーブ接続孔２０７によってロッド３２０に套設されることができる。そして、締めネジ２０５を回転することによって第１部材２０１と第２部材２０３の距離を変更でき、更に光源モジュール３４０をロッド３２０に締め付ける。同様に、逆方向に締めネジ２０５を回転することによって固定部材２００を緩ませて、光源モジュール３４０を迅速に取り外すことができる。本実施例において、制御装置３６０は、他の実施例と同様に光源モジュール３４０を制御でき、そして光源モジュール３４０に必要な電源を提供できる。
【００２６】
上記の本発明の実施形態から分かるように、本発明は、多種の色光のチップを同一の発光ダイオードに統合し、制御装置によって発光ダイオードがそれぞれ異なる色光を生じるように制御する。これによって、集魚灯に設置される必要がある発光ダイオードの個数及び面積を減少でき、コストを節約するとともに、集魚灯のサイズを縮減するという目的が達成される。
【００２７】
上記の本発明の実施形態から分かるように、本発明の光源モジュールは、異なる固定部材を切り替えることによって、筐体又はロッドの構造設計に合わせて光源モジュールが筐体又はロッドに結合することができる。また、光源モジュールが筐体に装着される場合、固定部材によって光源モジュールの照射角度を調整することができる。そして、光源モジュールがロッドに装着される場合、固定部材の締めネジを回転することによって光源モジュールは、ロッドに固定される。従って、モジュール化された光源モジュールは、組立上に簡単で、維修又は改造・選択・交換にも便利となる。
【００２８】
以上、本発明を上記の実施形態によって開示したが、これは本発明を限定するものではなく、当業者なら誰でも、本発明の精神と領域から逸脱しない限り、多様の変更や修正を行うことができる。従って、本発明の保護範囲は、後の特許請求の範囲に指定される内容を基準とする。
【符号の説明】
【００２９】
１００、３００  集魚灯
１２０  筐体
１２２  第１結合部
１２４  第２結合部
１２６  組立部
１２８  調整部
１４０、２２０、３４０  光源モジュール
１４１  シート体
１４１ａ  光源設置面
１４１ｂ  放熱面
１４１ｃ  金属表面
１４１ｄ  塗層
１４３、１４４、１４６  発光ダイオード
１４３ａ  白色光チップ
１４３ｂ  赤色光チップ
１４３ｃ  青色光チップ
１４４ａ、１４６ａ  セラミック基板
１４４ｂ、１４４ｃ、１４４ｄ、１４６ｂ、１４６ｃ、１４６ｄ、１４６ｅ  チップ
１４５  固定ユニット
１４５ａ、２００  固定部材
１４５ｂ  枢支部材
１４５ｃ  位置決め部材
１４５ｄ  枢支孔
１４５ｅ  位置決め孔
１４７  放熱フィン
１４８  保護カバー
１４９  レンズカバー
１４９ａ  レンズユニット
１６０、３６０  制御装置
１６０ａ  電源
２０１  第１部材
２０１ａ  位置決め孔
２０１ｂ  切り欠き
２０３  第２部材
２０３ａ  枢支孔
２０３ｂ  切り欠き
２０５  締めネジ
２０７  スリーブ接続孔
３２０  ロッド
【図１】
2015149988.tif 000003
【図２】
2015149988.tif 000004
【図３】
2015149988.tif 000005
【図４Ａ】
2015149988.tif 000006
【図４Ｂ】
2015149988.tif 000007
【図４Ｃ】
2015149988.tif 000008
【図５】
2015149988.tif 000009
【図６】
2015149988.tif 000010
【図７】
2015149988.tif 000011
【図８】
2015149988.tif 000012